(57)【要約】【課題】本発明は、極めて商品価値の高い画期的な遊具を提供することを目的とする。【解決手段】水平状態に配される天部１と、この天部１の左右位置に連結され縦材２Ａ同士間に複数の踏み材２Ｂが架設された左右の脚部２とから成るフレーム体Ｆを有し、前記天部１の内面若しくは左右の前記脚部２夫々の内面には遊び手段Ｐが設けられ、前記フレーム体Ｆの内方は遊び空間に設定されたものである。【選択図】図１
2011030944.tif 000002
【特許請求の範囲】
【請求項１】
水平状態に配される天部と、この天部の左右位置に連結され縦材同士間に複数の踏み材が架設された左右の脚部とから成るフレーム体を有し、前記天部の内面若しくは左右の前記脚部夫々の内面には遊び手段が設けられ、前記フレーム体の内方は遊び空間に設定されていることを特徴とする遊具。
【請求項２】
請求項１記載の遊具において、前記天部は折り畳み自在に設けられ、この天部を折り畳んだ際、前記脚部同士が重合状態となるように構成されていることを特徴とする遊具。
【請求項３】
請求項１，２いずれか１項に記載の遊具において、前記天部及び前記脚部は木製であることを特徴とする遊具。
【請求項４】
請求項１〜３いずれか１項に記載の遊具において、前記遊び手段として、左右の前記脚部の対向する踏み材同士間に横棒体を架設して成るぶら下がり遊び手段を採用したことを特徴とする遊具。
【請求項５】
請求項１〜３いずれか１項に記載の遊具において、前記遊び手段として、前記天部の内面若しくは左右の前記脚部に垂設される複数の垂設体と、この垂設体同士間に架設される横棒体とから成るぶら下がり遊び手段を採用したことを特徴とする遊具。
【請求項６】
請求項１〜３いずれか１項に記載の遊具において、前記遊び手段として、前記天部の内面若しくは左右の前記脚部に垂設される複数の垂設体と、この垂設体同士間に架設される載り体とから成る載り遊び手段を採用したことを特徴とする遊具。
【請求項７】
請求項１〜３いずれか１項に記載の遊具において、前記遊び手段として、前記天部に垂設される垂設体と、この垂設体に設けられた回転軸部により水平回転する回転体とから成る回転遊び手段を採用したことを特徴とする遊具。
【発明の詳細な説明】
【技術分野】
【０００１】
本発明は、例えば家屋内にて気軽に運動神経の発達を促す運動遊びができる遊具に関するものである。
【背景技術】
【０００２】
従来から、例えば家屋内にて気軽に遊ぶことができる遊具として、例えば実用新案登録第３０４８１２１号に開示される遊具（以下、従来例）が提案されている。
【０００３】
この従来例は、４本の支柱と４本の棒材から成る底枠とでピラミッド形状に組み立てられた支持用フレームと、この支持用フレームに吊り下げる揺り籠やブランコや回転椅子などの遊び手段とで構成され、支持用フレームに遊び手段を適宜付け替えることで、家屋内にて気軽に揺れたり回転したりなど様々な遊びができるものであり、特に乳幼児の体力を向上させる為の健康促進器具としての機能が期待される。
【先行技術文献】
【特許文献】
【０００４】
【特許文献１】実用新案登録第３０４８１２１号公報
【発明の概要】
【発明が解決しようとする課題】
【０００５】
しかしながら、従来例に係る支持用フレームは、その構造上、支持用フレームの内方に揺れたり回転したりなどできる巾の広い空間を確保しようとすると（揺れたり回転したりしても遊戯者の脚が支柱に当たらないようにすると）、支柱の長さを長くして支柱同士の間隔を広くしなければならず、よって、支持用フレーム全体が高くなって大型化してしまうという問題点がある。支柱同士の間隔を広くしないと、揺れたり回転したりして遊んでいる遊戯者の脚が支柱に当たった場合、支持用フレームが転倒するおそれがある。
【０００６】
本発明は、前述した問題点を解消した極めて商品価値の高い画期的な遊具を提供するものである。
【課題を解決するための手段】
【０００７】
添付図面を参照して本発明の要旨を説明する。
【０００８】
水平状態に配される天部１と、この天部１の左右位置に連結され縦材２Ａ同士間に複数の踏み材２Ｂが架設された左右の脚部２とから成るフレーム体Ｆを有し、前記天部１の内面若しくは左右の前記脚部２夫々の内面には遊び手段Ｐが設けられ、前記フレーム体Ｆの内方は遊び空間に設定されていることを特徴とする遊具に係るものである。
【０００９】
また、請求項１記載の遊具において、前記天部１は折り畳み自在に設けられ、この天部１を折り畳んだ際、前記脚部２同士が重合状態となるように構成されていることを特徴とする遊具に係るものである。
【００１０】
また、請求項１，２いずれか１項に記載の遊具において、前記天部１及び前記脚部２は木製であることを特徴とする遊具に係るものである。
【００１１】
また、請求項１〜３いずれか１項に記載の遊具において、前記遊び手段Ｐとして、左右の前記脚部２の対向する踏み材２Ｂ同士間に横棒体４を架設して成るぶら下がり遊び手段Ｐを採用したことを特徴とする遊具に係るものである。
【００１２】
また、請求項１〜３いずれか１項に記載の遊具において、前記遊び手段Ｐとして、前記天部１の内面若しくは左右の前記脚部２に垂設される複数の垂設体３と、この垂設体３同士間に架設される横棒体６とから成るぶら下がり遊び手段Ｐを採用したことを特徴とする遊具に係るものである。
【００１３】
また、請求項１〜３いずれか１項に記載の遊具において、前記遊び手段Ｐとして、前記天部１の内面若しくは左右の前記脚部２に垂設される複数の垂設体３と、この垂設体３同士間に架設される載り体５とから成る載り遊び手段Ｐを採用したことを特徴とする遊具に係るものである。
【００１４】
また、請求項１〜３いずれか１項に記載の遊具において、前記遊び手段Ｐとして、前記天部１に垂設される垂設体３と、この垂設体３に設けられた回転軸部７により水平回転する回転体14とから成る回転遊び手段Ｐを採用したことを特徴とする遊具に係るものである。
【発明の効果】
【００１５】
本発明は上述のように構成したから、前述した従来例と異なり、フレーム体はコンパクトでありながら内方に十分な遊び空間を確保することができ、しかも、フレーム体自体も遊び機能を具備して様々な遊びが可能になるなど極めて商品価値の高い画期的な遊具となる。
【図面の簡単な説明】
【００１６】
【図１】本実施例を示す斜視図である。
【図２】本実施例に係るフレーム体を折り畳んだ状態を示す斜視図である。
【図３】本実施例に係る要部を示す斜視図である。
【図４】本実施例の使用状態説明図である。
【図５】本実施例に係る遊び手段の別例である。
【図６】本実施例に係る遊び手段の別例である。
【図７】本実施例に係る遊び手段の別例である。
【図８】本実施例に係る遊び手段の別例である。
【図９】本実施例に係る遊び手段の別例である。
【図１０】本実施例に係る遊び手段の別例である。
【図１１】本実施例に係るフレーム体の別使用例である。
【図１２】本実施例に係るフレーム体の別使用例である。
【発明を実施するための形態】
【００１７】
好適と考える本発明の実施形態を、図面に基づいて本発明の作用を示して簡単に説明する。
【００１８】
フレーム体Ｆを構成する天部１の内面若しくは左右の脚部２夫々の内面に遊び手段Ｐを有し、このフレーム体Ｆの内方を遊び手段Ｐによる遊び空間とする。
【００１９】
このフレーム体Ｆは、水平状態に配される天部１の左右位置に脚部２を設けた構成であり、よって、フレーム体Ｆの高さを高くせずとも脚部２同士の間隔を遊び空間に適した広い間隔にすることができる。
【００２０】
従って、フレーム体Ｆはコンパクトでありながら内方に十分な遊び空間を確保することができる。
【００２１】
また、本発明は、脚部２の踏み材２Ｂを利用して昇降したり、天部１の上に載ったりすることもでき、フレーム体Ｆの内方だけでなく外方での遊びも可能であるなど、フレーム体Ｆ自体も遊び機能を具備して様々な遊びが可能になる。
【実施例】
【００２２】
本発明の具体的な一実施例について図面に基づいて説明する。
【００２３】
本実施例は、所定面積を有し水平状態に配される天部１と、この天部１の左右位置に連結され縦材２Ａ同士間に複数の踏み材２Ｂが架設された左右一対の脚部２とから成るフレーム体Ｆを有し、天部１の内面若しくは左右の脚部２夫々の内面には遊び手段Ｐが設けられ、フレーム体Ｆの内方は遊び空間に設定されている。
【００２４】
以下、本実施例に係る構成各部について詳細な説明をする。
【００２５】
天部１は、図１〜３に図示したように適宜な木製の部材で形成した方形板状体であり、一対の板材１’を蝶番15を介して折り畳み自在に連結して構成されている。この天部１の折り畳み方向は蝶番15が内側となる状態で折り畳めるように設けられている。尚、天部１は木製に限らず合成樹脂製や金属製でも良いなど、本実施例の特性を発揮する構成であれば適宜採用し得るものである。
【００２６】
また、天部１は、図３に図示したように下面の中央位置及び左右位置に複数（３つ）のフック部８が設けられており、これらのフック部８は、後述する遊び手段Ｐを連結する連結部として機能する。
【００２７】
各脚部２は、図１，２に図示したように適宜な木製の部材で形成したものであり、左右一対の縦材２Ａと、この縦材２Ａ同士間に架設される複数（４本）の踏み材２Ｂとで構成されている。尚、脚部２は木製に限らず合成樹脂製や金属製でも良いなど、本実施例の特性を発揮する構成であれば適宜採用し得るものである。
【００２８】
この各脚部２のうち、一方の脚部２を水平状態に配される天部１の下面左側部に傾斜状に設けるとともに、他方の脚部２を水平状態に配される天部１の下面右側部に傾斜状態に設けて、左右の脚部２は正面視ハ字状（末広がり形状）に設けられている。
【００２９】
また、図２に図示したように天部１を折り畳んだ際、脚部２同士が重合状態となるように構成されている。
【００３０】
また、各脚部２を構成する踏み材２Ｂのうち、最上段及び上から二段目の踏み材２Ｂには孔２ａが設けられており、この孔２ａは、対向する脚部２を構成する踏み材２Ｂ同士間に後述する遊び手段Ｐに係る横棒材４を連結するための連結部として機能する。
【００３１】
また、対向する脚部２夫々の最上段の踏み材２Ｂにはフック部９が設けられており、このフック部９は、後述する遊び手段Ｐを連結する連結部として機能する。
【００３２】
符号10は脚部２同士間に架設され該脚部２同士の一体化を強固とする金属製の補強桟である。
【００３３】
以上の構成から成るフレーム体Ｆの内方は後述する遊び手段Ｐを用いて遊ぶ遊び空間として機能する。
【００３４】
遊び手段Ｐとしては下記の様々な構造のものが採用される。
【００３５】
具体的には、図４に図示した遊び手段Ｐは、左右の脚部２の対向する踏み材２Ｂ同士間に複数（２本）の横棒体４を架設して成るぶら下がり遊び手段Ｐである。
【００３６】
横棒体４は木製であり、左右端部を踏み材２Ｂの孔２ａに貫挿して連結される。
【００３７】
このぶら下がり遊び手段Ｐは、所謂鉄棒で遊ぶようにぶら下がった状態で遊ぶものであり、その他、複数の横棒体４を使ってぶら下がることで雲梯遊びを体感することができる。
【００３８】
また、図５に図示した遊び手段Ｐは、天部１の内面左右位置に設けたフック部８夫々に垂設される複数の垂設体３（紐体）と、この垂設体３の下端部同士間に架設される木製の横棒体６とから成るぶら下がり遊び手段Ｐであり、揺れるなどして揺動感を体感することができる。
【００３９】
また、図６，７に図示した遊び手段Ｐは、天部１の内面左右位置に設けたフック部８夫々に垂設される複数の垂設体３（紐体）と、この垂設体３の下端部同士間に架設される載り体５とから成る載り遊び手段Ｐである。
【００４０】
載り体５は木製の方形板状体であり、４本の垂設体３に四隅が連結されて水平状態に保持されている。
【００４１】
この載り遊び手段Ｐは、所謂ブランコで遊ぶように座った状態や腹這いの状態で揺らして遊ぶものであり、揺動感を体感することができる。
【００４２】
また、図８に図示した遊び手段Ｐは、左右の脚部２（対向する脚部２夫々の最上段の踏み材２Ｂ）に設けたフック部９夫々に垂設される複数の垂設体３（紐体）と、この垂設体３の下端部同士間に架設される木馬形状の載り体５とから成る載り遊び手段Ｐであり、前述した図６，７に図示した載り遊び手段Ｐと同様の効果が得られる。
【００４３】
また、図９，10に図示した遊び手段Ｐは、天部１の内面中央位置に設けたフック部８に垂設される垂設体３と、この垂設体３の下端部に設けられ該垂設体３に設けた回転軸部７により水平回転する回転体14とから成る回転遊び手段Ｐである。
【００４４】
垂設体３は、フック部８に連結する連結部３Ａと、この連結部３Ａの下端部に回転軸部７を介して連結する複数の紐体３Ｂとで構成されており、この各紐体３Ｂの下端部同士間に回転体14は架設される。
【００４５】
図９に図示した回転体14は木製板状であり、回転体14の上に座った状態や腹這いの状態で載ることができる。
【００４６】
この回転遊び手段Ｐは、座った状態や腹這いの状態で回転して遊ぶものであり、この回転運動は脳に刺激を与えて運動神経を活性化させると言われている。
【００４７】
図10に図示した回転体14は木製の横棒体であり、回転体14にぶら下がった状態で回転して遊ぶものであり、前述したぶら下がり運動による効果と回転運動による効果が同時に得られる。
【００４８】
また、本実施例では、フレーム体Ｆの外方にも遊び手段Ｐを設けており、図11，12に図示したように左右一対の脚部２のうち、一方の脚部２に壁面体11と登りロープ12を設け、他方の脚部２にアスレチックネット13を配設し、所謂ジャングルジムのような登り遊びができる。符号16はクライミング遊び用のホールド（手や足をかける取っ手のようなもの）であり、登りロープを使用せずにフリークライミングのようにホールド16を使いながら壁面をよじ登る運動遊びができる。
【００４９】
本実施例は上述のように構成したから、フレーム体Ｆは、水平状態に配される天部１の左右位置に脚部２を設けた構成であり、よって、フレーム体Ｆの高さを高くせずとも天部１を介して脚部２同士の間隔を遊び空間に適した広い間隔にすることができ、フレーム体Ｆはコンパクトでありながら内方に十分な遊び空間を確保することができる。
【００５０】
また、本実施例は、前述した運動遊びができる種々の遊び手段Ｐを具備することで、特に乳幼児の体力を向上させて運動神経の発達を促す運動器具（健康促進器具）としての機能が期待される。
【００５１】
また、本実施例は、脚部２の踏み材２Ｂを利用して昇降したり、天部１の上に載ったりすることができ、フレーム体Ｆの内方だけでなく外方での遊びも可能であるなど、フレーム体Ｆ自体も遊び機能を具備して様々な遊びが可能になる。
【００５２】
また、本実施例は、フレーム体Ｆは安定した構造であるから高所作業台としても使用でき、左右の踏み材２Ｂ同士間に板を架設すれば棚や机としても利用できる。
【００５３】
また、本実施例は、このフレーム体Ｆは、前述した従来例のように四本の棒材から成る囲まれた底枠を具備する構造ではなく、脚部２が設けられる部位以外は開放された状態であるから、内方の遊び空間への出入りにつまずくような邪魔なものが無く安全である。
【００５４】
また、本実施例は、天部１は折り畳み自在に設けられ、この天部１を折り畳んだ際、脚部２同士が重合状態となるように構成されているから、コンパクトにすることができて収納や持ち運びに便利である。
【００５５】
また、本実施例は、天部１及び脚部２は木製であるから、例えば乳幼児が遊ぶ遊具として安全である。
【００５６】
木製であることのその他のメリットは次の通りである。
【００５７】
・部屋のインテリアなどになじみやすい。
【００５８】
・用途に応じて一部の加工や補助部品の追加などがしやすい。
【００５９】
・木の肌触りや暖かさなど優しいぬくもりがある。
【００６０】
・デザインの加工がしやすい。
【００６１】
・古くなった表面をサンドペーパーで磨くことで新品のようになる。
【００６２】
・自然の木目や色合いにより同じ模様の製品が無くオリジナルな１点物になる。
【００６３】
・木の香りを楽しめる。
【００６４】
・湿度を調整してくれる。
【００６５】
・磨けば自然なつやが出る。
【００６６】
・例えば鉄製などのように錆びや劣化が少なく、長い期間使用できる。
【００６７】
・冬の気温が低い時に触れても冷たくなく温かみがある。
【００６８】
尚、本発明は、本実施例に限られるものではなく、各構成要件の具体的構成は適宜設計し得るものである。
【産業上の利用可能性】
【００６９】
本発明は、例えば家屋内にて気軽に運動神経の発達を促す運動遊びができる遊具に有用である。
【符号の説明】
【００７０】
Ｆ  フレーム体
Ｐ  遊び手段
１  天部
２  脚部
２Ａ  縦材
２Ｂ  踏み材
３  垂設体
４  横棒体
５  載り体
６  横棒体
７  回転軸部
14  回転体
【図１】
2011030944.tif 000003
【図２】
2011030944.tif 000004
【図３】
2011030944.tif 000005
【図４】
2011030944.tif 000006
【図５】
2011030944.tif 000007
【図６】
2011030944.tif 000008
【図７】
2011030944.tif 000009
【図８】
2011030944.tif 000010
【図９】
2011030944.tif 000011
【図１０】
2011030944.tif 000012
【図１１】
2011030944.tif 000013
【図１２】
2011030944.tif 000014